(57)【要約】【課題】現在あるデジタルカメラにオプション機器を装着することにより、縦撮りや左利きのユーザーが操作性を向上させることができる画像取得装置を提供する。【解決手段】外部インターフェース用のコネクタと、オプション機器装着手段と、装脱自在の特殊撮影用オプション機器を備えた。【選択図】図２
2008236216.tif 000002
【特許請求の範囲】
【請求項１】
外部インターフェース用のコネクタと、オプション機器装着手段と、装脱自在の特殊撮影用オプション機器と、を備えたことを特徴とする画像取得装置。
【請求項２】
前記特殊撮影用オプション機器は、複数の画像取得装置起動手段を有することを特徴とする請求項１記載の画像取得装置。
【請求項３】
請求項１又は２記載の画像取得装置において、複数の画像取得装置起動手段の何れかを手動で選択する選択手段を有することを特徴とする画像取得装置。
【請求項４】
請求項１又は２記載の画像取得装置において、画像取得装置の筐体内に特殊撮影用の傾斜測定手段を有することを特徴とする画像取得装置。
【請求項５】
請求項４記載の画像取得装置において、前記特殊撮影用の傾斜測定手段により測定された傾きの情報を出力する出力手段と、前記出力手段からの情報に基づいて複数の画像取得装置起動手段の何れかを選択する選択手段を有することを特徴とする画像取得装置。
【請求項６】
請求項１乃至５の何れか１項記載の画像取得装置において、外部インターフェース用のコネクタがＵＳＢであることを特徴とする画像取得装置。
【請求項７】
請求項１乃至５の何れか１項記載の画像取得装置において、外部インターフェース用のコネクタが専用コネクタであることを特徴とする画像取得装置。
【請求項８】
請求項１乃至７の何れか１項記載の画像取得装置において、オプション機器を装着する前記オプション機器装着手段が三脚用のネジ穴であることを特徴とする画像取得装置。
【発明の詳細な説明】
【技術分野】
【０００１】
本発明は、画像取得装置に関し、更に詳しくはデジタルカメラ等の情報入力装置として用いられる画像取得装置に関するものである。
【背景技術】
【０００２】
従来、デジタルカメラに代表される画像取得装置において、ユーザーインターフェースを向上させるような内容の技術は様々知られている（例えば、特許文献１〜３参照）。
しかしながら、それらはいずれも、操作部材を変えたり、組み合わせたりするものにすぎず、特別に左利きのユーザーや縦撮りのために操作位置を変えることを意識したものではない。
特許文献１は任意の領域から選択する操作部材に関するもので、操作部材を回転式ダイヤルと複数の押圧式釦の組み合わせで構成したものである。また特許文献２は、ダイヤル部材を操作することによりフォーカスエリアを選択するカメラに関するもので小型化のための工夫を施したものである。また特許文献３には、ダイヤル部材を操作することによりスクロールさせる技術が示されている。また、特許文献４には、画像出力時に画像とともに回転情報を出力するとの技術開示はあるものの、クレードル等のオプション機器に関する接続状態を検出する手段を有するものではなく、ましてや左利きのユーザーや縦撮りのために操作位置を変えることを意識したものとは言えない。
更に、本件出願人の先願である特許文献５は、外部ケーブルレリーズに関するものである。外部レリーズを用いる場合、手で持って撮影することは困難であるため三脚などで固定する必要がある。当該先願はＵＳＢで接続する場合の動作原理においては、本願と共通するところはあるものの、本発明のように通常に撮影する場合のユーザーインターフェースの向上させることを目的とするものとは言えず、特に左利きのユーザーや縦撮りのために操作位置を変えることを意識したものとは言えない。
【特許文献１】特開２００２−６２９６７公報
【特許文献２】特開平１１−３２６７５０号公報
【特許文献３】特開２００１−５３８５４公報
【特許文献４】特開２００３−３０４４２３公報
【特許文献５】特開２００６−２５３８８０公報
【発明の開示】
【発明が解決しようとする課題】
【０００３】
縦撮り用のデジタルカメラや左利き用のデジタルカメラは、極めて特殊な存在であり専用のものを作製するのはコスト高になるという理由から数が少ない現状にある。従来技術として示したものは、いずれも特別に左利きのユーザーや縦撮りのために操作位置を変えることを意識したものとは言い難い。
本発明の目的は、このような数が少ないユーザーのために、現在あるデジタルカメラにオプション機器を装着することにより、縦撮りや左利きのユーザーが操作性を向上させることができる画像取得装置を提供することにある。
【課題を解決するための手段】
【０００４】
上記の課題を解決するために、請求項１に記載の発明は、外部インターフェース用のコネクタと、オプション機器装着手段と、装脱自在の特殊撮影用オプション機器と、を備えたことを特徴とする。
請求項２に記載の発明は、前記特殊撮影用オプション機器は複数の画像取得装置起動手段を有する請求項１記載の画像取得装置を特徴とする。
請求項３に記載の発明は、請求項１又は２記載の画像取得装置において、複数の画像取得装置起動手段の何れかを手動で選択する選択手段を有する画像取得装置を特徴とする。
請求項４に記載の発明は、請求項１又は２記載の画像取得装置において、画像取得装置の筐体内に特殊撮影用の傾斜測定手段を有する画像取得装置を特徴とする。
請求項５に記載の発明は、請求項４記載の画像取得装置において、前記特殊撮影用の傾斜測定手段により測定された傾きの情報を出力する出力手段と、前記出力手段からの情報に基づいて複数の画像取得装置起動手段の何れかを選択する選択手段を有することを特徴とする。
請求項６に記載の発明は、請求項１乃至５の何れか１項記載の画像取得装置において、外部インターフェース用のコネクタがＵＳＢである画像取得装置を特徴とする。
請求項７に記載の発明は、請求項１乃至５の何れか１項記載の画像取得装置において、外部インターフェース用のコネクタが専用コネクタである画像取得装置を特徴とする。
請求項８に記載の発明は、請求項１乃至７の何れか１項記載の画像取得装置において、オプション機器を装着するオプション機器装着手段が三脚用のネジ穴である画像取得装置を特徴とする。
【発明の効果】
【０００５】
本発明においては、デジタルカメラに筐体に複数のスイッチを有するオプション機器を装着したので、縦撮りのときでも押しやすい位置にスイッチがあるため、操作性を向上することが可能となった。
【発明を実施するための最良の形態】
【０００６】
以下、図面を参照しつつ本発明の実施の形態を説明する。尚、各図の番号は、同じ部材や同じ処理に関しては、極力、同じ番号を付するものとする。
図１は本発明に係るデジタルカメラ本体１００内に設けられた電気回路構成の一部を示すブロック図１０１であり、図上破線で示されている。
このデジタルカメラ１００には、主として被写体の光学画像を取り込むズームレンズ４Ａａ、ズーム駆動モータ４Ａｂからなるズーム光学系４Ａと、フォーカスレンズ４Ｂａ、フォーカス駆動モータ４Ｂｂからなるフォーカス光学系４Ｂと、絞り４Ｃａ、絞りモータ４Ｃｂからなる絞りユニット４Ｃと、メカシャッタ４Ｄａ、メカシャッタモータ４Ｄｂからなるメカシャッタユニット４Ｄと、各モータを駆動するモータドライバ１２を有する鏡胴ユニット４が備えられている。
【０００７】
次に、光学画像を光電変換するための固体撮像素子であるＣＣＤ５が備えられている。
又、画像ノイズ除去用相関二重サンプリングを行うＣＤＳ６ａと、利得調整を行うＡＧＣ６ｂと、デジタル信号変換を行うＡ／Ｄ６ｃと、駆動タイミング信号を発生するＴＧ６ｄとを有するＦ／Ｅ−ＩＣ６が備えられている。
ついで、ＣＣＤ５よりＦ／Ｅ―ＩＣ６の出力データにホワイトバランス設定やガンマ設定を行い、垂直同期信号ＶＤ、水平同期信号ＨＤをＴＧ６ｄへと供給するＣＣＤ１信号処理ブロック８ａと、フィルタリング処理により、輝度データ・色差データへの変換を行うＣＣＤ２信号処理ブロック８ｂと、装置各部の動作を制御するＣＰＵブロック８ｃと、前述した制御に必要なデータ等を、一時的に、保存するＬｏｃａｌ  ＳＲＡＭ８ｄと、パソコンやアダプターなどの外部機器と接点１０３ａを介してＵＳＢ通信を行うＵＳＢブロック８ｅと、パソコンなどの外部機器とシリアル通信を行うシリアルブロック８ｆと、ＪＰＥＧ圧縮・伸張を行うＪＰＥＧ  ＣＯＤＥＣブロック８ｇと、画像データのサイズを補間処理により拡大／縮小するＲＥＳＩＺＥブロック８ｈと、画像データを液晶モニタやＴＶなどの外部表示機器に表示するためのビデオ信号に変換するＴＶ信号表示ブロック８ｉと、撮影された画像データを記録するメモリカードの制御を行うメモリカードブロック８ｊを有するデジタルスチルカメラプロセッサ８が備えられている。
【０００８】
又、ＳＤＲＡＭ７は、前述したデジタルスチルカメラプロセッサ８で画像データに各種処理を施す際に、画像データを一時的に保存する機能を果たすものである。保存される画像データとしては、例えば、ＣＣＤ５から、Ｆ／Ｅ−ＩＣ６を経由して取りこんで、ＣＣＤ１信号処理ブロック８ａでホワイトバランス設定、ガンマ設定が行われた状態のＲＡＷ−ＲＧＢ画像データ７ａや、ＣＣＤ２制御ブロック８ｂで輝度データ・色差データ変換が行われた状態のＹＵＶ画像データ７ｂ、ＪＰＥＧ ＣＯＤＥＣブロック８ｇでＪＰＥＧ圧縮されたＪＰＥＧ画像データ７ｃなどである。
撮影した画像データを記憶できるようにするためのメモリである内蔵メモリ９と、後述するＬＣＤモニタ１１を駆動するドライブ回路であるＬＣＤドライバ１０と、ユーザーが操作するＫｅｙ回路である操作Ｋｅｙユニット１７と、ＲＯＭ・ＲＡＭをワンチップに内蔵したＣＰＵであるＳＵＢ−ＣＰＵ１６と、ＣＰＵブロック８ｃに傾斜情報を入力するための傾斜センサー３７と、ストロボ光を発光するストロボ発光部１３と、ストロボ発光部１３を駆動するストロボ回路１４と、被写体までの距離を測定する測距ユニット１５とが備えられている。
【０００９】
図２（ａ）はデジタルカメラ１００とデジタルカメラ１００に装着するオプション機器１０２の外観図である。このオプション機器１０２は、ここでは図示していない三脚ネジで固定され、例えばＵＳＢ等により相互間の通信を行うコネクタ１０３のデジタルカメラ１００側の雄接点１０３ａ、オプション機器１０２側の雌接点１０３ｂにより電気的に接続される。図２（ｂ）はデジタルカメラ１００とデジタルカメラ１００に装着するオプション機器１０２とをＵＳＢ等の通信を行うコネクタ１０３で接続した際の模式図である。
図３（ａ）（ｂ）（ｃ）にオプション機器１０２を装着した際のデジタルカメラ１００の外観図を示す。（ａ）は右側面図、（ｂ）は正面図、（ｃ）は下面図である。デジタルカメラ１００の略正面中央には、ズーム光学系４Ａ、フォーカス光学系４Ｂを含む撮影レンズを有する鏡胴ユニット４（図１参照）が取り付けられており、鏡胴ユニット４の上方には、フォーカスを合わせる際に使用する測距ユニット２、低照度での撮影等の場合に補助光を発するためのＡＦ補助光３が設けられている。カメラの上面には、カメラの各種モードを選択する回転式スイッチから成るモードダイヤル１８と、上下・左右を選択する回転式スイッチから成るジョグダイヤル１９、２０と、デジタルカメラの本来の撮影用であるレリーズスイッチ２１、カメラに電源をいれる電源スイッチ２２が設けられている。
【００１０】
図４（ａ）（ｂ）に図３同様オプション機器１０２を装着した際のデジタルカメラ１００の外観図を示す。但し、（ａ）は上面図、（ｂ）は背面図である。カメラの背面には、撮影画像を表示したり、撮影モードを表示するＬＣＤモニタ１１とＷＩＤＥ・ＴＥＬＥにズームを切り替えるズームスイッチ２３、２４と従来公知の各種機能が割り当てられたスイッチ２５〜３２が設けられている。オプション機器１０２には、縦撮り用のレリーズスイッチ３３、左利き用のための逆撮り用のレリーズスイッチ３４（図３（ｃ）参照）、どのレリーズスイッチを使用するかを決定する切り替えスイッチ３５が設けられている。また、下面にあるレリーズスイッチ３４にはデジタルカメラを水平に保つためにすり鉢状の穴３４ｈがあいている（図３（ｃ）参照）。
【００１１】
斯かる構成より成るデジタルカメラ１００並びにオプション機器１０２の動作・作用につき、以下実施例として説明する。
［実施例１］
実施例１は、デジタルカメラ１００とオプション機器１０２とのコネクタ１０３がＵＳＢであり、オプション機器１０２に縦撮り用のレリーズスイッチ３３、左利き用のための逆撮り用のレリーズスイッチ３４を手動により切り替える切り替えＳＷ３５がある場合に関するもので、図５はオプション機器１０２側の回路図である。
既述の通り、オプション機器１０２を総じて制御するためのＣＰＵ３６、ＦＯＣＵＳ１をＣＰＵ３６に入力するオートフォーカススイッチ３３ａ、ＳＨＵＴＴＥＲ１をＣＰＵ３６に入力するシャッター用スイッチ３３ｂよりなる縦撮り用のレリーズスイッチ３３、ＦＯＣＵＳ２をＣＰＵ３６に入力するオートフォーカススイッチ３４ａ、ＳＨＵＴＴＥＲ２をＣＰＵ３６に入力するシャッター用スイッチ３４ｂよりなる左利き用のための逆撮り用のレリーズスイッチ３４、どのレリーズスイッチを使用するかを決定するためにＣＰＵ３６に選択情報を入力する切り替えスイッチ３５が設けられている。ＣＰＵ３６からはデジタルカメラ側ＣＰＵ８ｃにＵＳＢを介してＶＢＵＳ波形が入力されるように構成されている。
【００１２】
切り替えＳＷ３５の操作に応じて、ＣＰＵ３６がレリーズスイッチ３３、３４の何れかからの入力を選択するかを決定する。例えば、切り替えＳＷ３５が、縦撮り、逆撮り、全て有効、全て無効の４つに切り替えられるとする。切り替えＳＷ３５を縦撮りとしておくと、縦撮り用レリーズスイッチ３３からの入力が受け付けられて、ＵＳＢのＶＢＵＳを介してカメラ側ＣＰＵ８ｃに出力され撮影可能になるが、逆撮り用レリーズスイッチ３４では入力しても、ＵＳＢのＶＢＵＳを介してカメラ側ＣＰＵ８ｃには出力されないため撮影はできない。但し、オプション機器１０２の切り替えＳＷ３５をどのモードにしてもカメラ本体側でのレリーズスイッチ２１は受け付けることとなる。
一般的にＵＳＢコネクタはＶＢＵＳピン、Ｄ＋ピン、Ｄ−ピン、ＧＮＤピンの４種類からなっている。本発明では、ＶＢＵＳピンからレリーズスイッチとしての波形を出力することができるようにして、カメラ側ＣＰＵ８ｃにオプション機器１０２のレリーズスイッチ３３、３４からの出力として認識させるものである。
【００１３】
図６として、ＶＢＵＳに波形を出力することにより、レリーズスイッチとして認識させる際のフローチャートを示す。図７には、図６に示したフローチャートに応じてＶＢＵＳから出力される波形を表すタイムテーブルが示してある。
図６、図７を参照して説明する。電源の入力（Ｓ１）の後、オートフォーカス出力がＬ出力になっているかを判断する（Ｓ２）。Ｎｏであれば、前の状態に戻る。ＹＥＳであれば、ＶＢＵＳピンよりオートフォーカスパルスを出力する（Ｓ３）。ついでシャッター出力がＬ出力になっているかを判断する（Ｓ４）。Ｎｏであれば、オートフォーカス出力がＨ出力になっているかを判断（Ｓ６）した後、更にＮｏであればＳ４の前まで戻る。ＹＥＳであればリセットパルスを出力する（Ｓ７）。（Ｓ４）がＹＥＳであれば、ＶＢＵＳピンよりシャッターパルスを出力する（Ｓ５）。その後、オートフォーカス出力がＨ出力になっているかを判断する（Ｓ６）。Ｎｏであれば（Ｓ４）の前まで戻る。ＹＥＳであればリセットパルスを出力する（Ｓ７）。その後、再度オートフォーカス出力がＬ出力になる（Ｓ２）のを待ち、このフローが繰り返される。このフロー並びにタイムテーブルにより、縦撮りレリーズスイッチ３３、逆撮りレリーズスイッチ３４からの入力がカメラ側ＣＰＵ８ｃへと伝達される。
【００１４】
［実施例２］
実施例２は、デジタルカメラ１００とオプション機器１０２とのコネクタ１０３がＵＳＢであり、前出の切り替えＳＷ３５に代えてデジタルカメラの回路１０１中に傾斜センサー１８を配して自動的に縦撮りレリーズスイッチ３３、逆撮りレリーズスイッチ３４の選択をする場合に関するもので、図８はオプション機器１０２並びにデジタルカメラ１００側の回路図である。図９（ａ）は縦撮りレリーズスイッチ３３のタイムチートを、図９（ｂ）は逆撮りレリーズスイッチ３４のタイムチートを示している。
既述の通り、オプション機器１０２を総じて制御するためのＣＰＵ３６、ＦＯＣＵＳ１をＣＰＵ３６に入力するオートフォーカススイッチ３３ａ、ＳＨＵＴＴＥＲ１をＣＰＵ３６に入力するシャッター用スイッチ３３ｂよりなる縦撮り用のレリーズスイッチ３３、ＦＯＣＵＳ２をＣＰＵ３６に入力するオートフォーカススイッチ３４ａ、ＳＨＵＴＴＥＲ２をＣＰＵ３６に入力するシャッター用スイッチ３４ｂよりなる左利き用のための逆撮り用のレリーズスイッチ３４のどのレリーズスイッチを使用するかを決定するために、デジタルカメラ側に配された傾斜センサー１８からの傾き検知の結果が入力され、その結果をＣＰＵ３６へと出力するデジタルカメラ側ＣＰＵ８ｃが配されている。
【００１５】
オプション機器１０２側では、スイッチ３３、３４によって図９（ａ）、（ｂ）に示すようにオートフォーカスの波形の幅を変更させる。それによりデジタルカメラ１００本体側でどのスイッチが押されたかの判別が可能となる。オプション機器１０２側の回路は図８に示した通りで、それぞれのスイッチに対応して波形を入力することが可能である。検知した傾きの出力結果に基づき、どのスイッチを使うかを自動選択し、そのときに適したスイッチでのみ撮影可能となる。例えば、オプション機器１０２を装着したデジタルカメラ１００を逆向きにしていたら、傾斜センサー１８の出力結果によりデジタルカメラ１００側のレリーズスイッチ２１、オプション機器１０２側の縦撮り用スイッチ３３は、入力を受け付けず、逆撮り用のスイッチ３４のみを有効にし、撮影可能とする。この場合は、実施例１とは異なり、デジタルカメラ１００本体側のレリーズスイッチ２１の受付けも拒否するように構成する。
尚、ＶＢＵＳに波形を出力することにより、レリーズスイッチとして認識させる際のフローチャートは、図６で説明したフローチャートと略同様であるため、これを援用するものとする。
【００１６】
［実施例３］
次に実施例３について説明する。図１０（ａ）、（ｂ）はオプション機器１０２並びにデジタルカメラ１００側の回路図である。実施例１、２においては、デジタルカメラ１００とオプション機器１０２とのコネクタ１０３がＵＳＢである場合を説明したが、実施例３は図７の出力を含む専用コネクタ１０４を用いた場合である。専用コネクタ１０４であるのでオプション機器１０２に設けられたレリーズスイッチの数だけ専用コネクタ１０４のピン数を増やし、カメラ本体側のＣＰＵ８ｃに入力する。オプション機器１０２に切り替えＳＷ３５がある場合は、オプション機器１０２側のＣＰＵ３６に切り替えＳＷ３５の情報を入力し、どのレリーズスイッチから出力するかを決定させる。傾斜センサー１８を用いて、自動で切り替える場合は、コネクタのピン数を１ピン増やし、傾き情報をオプション機器のＣＰＵ３６に入力する。このことにより、場面に最適のレリーズスイッチでのみの撮影が可能となる。
尚、波形を出力することにより、レリーズスイッチとして認識させる際のフローチャートは図６で説明したフローチャートと、タイムチートは図９で示したタイムチャートと略同様であるため、これを援用するものとする。
【図面の簡単な説明】
【００１７】
【図１】本発明に係るデジタルカメラ本体１００内に設けられた電気回路構成の一部を示すブロック図である。
【図２】デジタルカメラ１００とデジタルカメラ１００に装着するオプション機器１０２の外観図（その１）である。
【図３】本発明に係るデジタルカメラ１００とデジタルカメラ１００に装着するオプション機器１０２の外観図（その２）である。
【図４】本発明に係るデジタルカメラ１００とデジタルカメラ１００に装着するオプション機器１０２の外観図（その３）である。
【図５】本発明に係るオプション機器１０２側の回路図である。
【図６】ＶＢＵＳに波形を出力することにより、オプション機器１０２側のレリーズスイッチとして認識させる際のフローチャートである。
【図７】本発明に係るデジタルカメラにオプション機器をＵＳＢ接続で装着し、レリーズスイッチを押したときの波形を表すタイムテーブルを示す図である。
【図８】本発明に係るデジタルカメラにオプション機器１０２を装着した際のスイッチ周辺の回路図である。
【図９】本発明に係るデジタルカメラにオプション機器をＵＳＢ接続で装着し、オプション機器側のレリーズスイッチを押したときの波形を表すタイムテーブルを示す図である。
【図１０】本発明に係るデジタルカメラにオプション機器１０２を専用コネクタで接続した際のスイッチ周辺の回路図である。
【符号の説明】
【００１８】
２  測距ユニット、３  ＡＦ補助光、４  鏡胴ユニット、４Ａａ  ズームレンズ、４Ａｂ  ズーム駆動モータ、４Ａ  ズーム光学系、４Ｂａ  フォーカスレンズ、４Ｂｂ  フォーカス駆動モータ、４Ｂ  フォーカス光学系、４Ｃａ  絞り、４Ｃｂ  絞りモータ、４Ｃ  絞りユニット、４Ｄａ  メカシャッタ、４Ｄｂ  メカシャッタモータ、４Ｄ  メカシャッタユニット、５  ＣＣＤ、６ａ  ＣＤＳ、６ｂ  ＡＧＣ、６ｃ  Ａ／Ｄ、６ｄ  ＴＧ、６  Ｆ／Ｅ−ＩＣ、７  ＳＤＲＡＭ、７ａ  ＲＡＷ−ＲＧＢ画像データ、７ｂ  ＹＵＶ画像データ、７ｃ  ＪＰＥＧ画像データ、８ａ  ＣＣＤ１信号処理ブロック、８ｂ  ＣＣＤ２信号処理ブロック、８ｃ  ＣＰＵブロック、８ｄ  Ｌｏｃａｌ  ＳＲＡＭ、８ｅ  ＵＳＢブロック、８ｆ  シリアルブロック、８ｇ  ＪＰＥＧ  ＣＯＤＥＣブロック、８ｈ  ＲＥＳＩＺＥブロック、８ｉ  ＴＶ信号表示ブロック、８ｊ  メモリカードブロック、８  デジタルスチルカメラプロセッサ、９  内蔵メモリ、１０  ＬＣＤドライバ、１１  ＬＣＤモニタ、１２  モータドライバ、１３  ストロボ発光部、１４  ストロボ回路、１５  測距ユニット、１６  ＳＵＢ−ＣＰＵ、１７  操作Ｋｅｙユニット、１８  モードダイヤル、１９、２０  ジョグダイヤル、２１  レリーズスイッチ、２２  電源スイッチ、２３、２４  ズームスイッチ、２５〜３２  スイッチ、３３  縦撮り用のレリーズスイッチ、３４  逆撮り用のレリーズスイッチ、３４ｈ  すり鉢状の穴、３５  切り替えスイッチ、３６  ＣＰＵ、３７  傾斜センサー、１００  デジタルカメラ本体、１０１  ブロック図、１０２  オプション機器、１０３  コネクタ、１０３ａ  雄接点、１０３ｂ  雌接点、１０４  専用コネクタ
【図１】
2008236216.tif 000003
【図２】
2008236216.tif 000004
【図３】
2008236216.tif 000005
【図４】
2008236216.tif 000006
【図５】
2008236216.tif 000007
【図６】
2008236216.tif 000008
【図７】
2008236216.tif 000009
【図８】
2008236216.tif 000010
【図９】
2008236216.tif 000011
【図１０】
2008236216.tif 000012